(57)【特許請求の範囲】
【請求項１】
少なくとも二つの使い捨ての第1のサブアセンブリと、少なくとも一つの再使用可能な第2のサブアセンブリとを含むキットであって、
各使い捨ての第1のサブアセンブリ(FS)は、製品の貯蔵部(1)と、最初に前記貯蔵部に装着される中空のアプリケータヘッド(3)とを含み、前記貯蔵部が周囲大気から封止されるようになっており、且つ、前記アプリケータヘッドの作業表面(3a)が、前記貯蔵部内に配設されるようになっており、
各再使用可能な第2のサブアセンブリ(SS)は、ハンドル(4)と、発熱部分(7c)を含む電気加熱回路とを含み、前記発熱部分(7c)は、電源(8)に接続することが可能であり、
各再使用可能な第2のサブアセンブリ(SS)は、前記発熱部分(7c)が前記中空のアプリケータヘッド(3)の内側に配設されるように前記第1のサブアセンブリ(FS)に取り付けることが可能であり、
各再使用可能な第2のサブアセンブリ(SS)は、前記アプリケータヘッド(3)が前記貯蔵部(1)から除去され、且つ前記第2のサブアセンブリに関連付けられるように前記第1のサブアセンブリ(FS)から取り外すことが可能であり、
各再使用可能な第2のサブアセンブリ(SS)は、前記製品貯蔵部が再び封止されるように前記第1のサブアセンブリに再接続することが可能であり、
各再使用可能な第2のサブアセンブリ(SS)は、前記アプリケータヘッド(3)から取り外すことが可能であり、したがって、前記第2のサブアセンブリをその元の形態に復元する、キット。
【請求項２】
二つ以上の前記第1のサブアセンブリの前記貯蔵部が、合計で2週間分以下の供給量の製品を含む、請求項1に記載のキット。
【請求項３】
二つ以上の前記第1のサブアセンブリの前記貯蔵部が、合計で1〜20mLの製品を含む、請求項1に記載のキット。
【請求項４】
二つ以上の前記第1のサブアセンブリの前記貯蔵部が、合計で2〜10mLの製品を含む、請求項3に記載のキット。
【請求項５】
二つ以上の前記第1のサブアセンブリの前記貯蔵部が、合計で4〜8mLの製品を含む、請求項4に記載のキット。
【請求項６】
2〜52個の第1のサブアセンブリ(FS)を含む、請求項1に記載のキット。
【請求項７】
2〜14個の第1のサブアセンブリ(FS)を含む、請求項6に記載のキット。
【請求項８】
4〜8個の第1のサブアセンブリ(FS)を含む、請求項7に記載のキット。
【請求項９】
前記貯蔵部(1)のすべてが、同じ製品を含まない、請求項1に記載のキット。
【請求項１０】
前記製品のうちの少なくとも一つが、マスカラである、請求項9に記載のキット。
【請求項１１】
前記製品のうちの少なくとも一つが、スキントリートメント製品である、請求項9に記載のキット。
【請求項１２】
前記アプリケータヘッド(3)のすべてが、同じタイプではない、請求項1に記載のキット。
【請求項１３】
前記アプリケータヘッドのうちの少なくとも一つが、マスカラアプリケータヘッドである、請求項12に記載のキット。
【請求項１４】
前記第1のサブアセンブリが、前記第1のサブアセンブリの形状に成形されている複数の第1のセクション(11)を有する成形トレイ内に配設されている、請求項1に記載のキット。
【請求項１５】
前記トレイが、第2のサブアセンブリの形状に成形されている少なくとも一つの成形された第2のセクション(12)を有している、請求項14に記載のキット。
【請求項１６】
再充電ベース部をさらに含む、請求項1に記載のキット。
【発明の詳細な説明】
【技術分野】
【０００１】
本発明は、化粧品及びパーソナルケア製品の分野にある。とりわけ、本発明は、加熱されると乾燥するか、又は、悪影響を受ける傾向があるマスカラ又は他の製品のための、加熱式アプリケータキットに関する。
【背景技術】
【０００２】
加熱式マスカラアプリケータは、最近になって、市場に現れ始めたばかりであり、市場でのそれらの存在は、今後数年間のうちに著しく増大する可能性がある。同時係属中の米国特許出願第12/980,526号では、市場での受け入れの一つの障害は、加熱されたマスカラを塗布することに関して熟知されていない点であることを説明し、店舗カウンタにおいて加熱された製品を試供するためのシステムについて記載した。本出願では、市場での受け入れに対する別の障害、すなわち、製品が繰り返し熱にさらされる結果として乾燥するという問題に取り組む。フルサイズの販売に適したマスカラ製品は、典型的に、約4g〜約10gのマスカラを供給することが可能である。単一の使用が、両目に化粧をすることを含む場合に、多くのフルサイズの販売に適したマスカラ製品は、廃棄される前に、100回以上使用される。しかし、数十回の使用後に、加熱されたアプリケータは、貯蔵部内の配合物(formula)を乾燥させ、マスカラを使用不能の状態にする可能性があるということが観察された。そのうえ、アプリケータヘッドの上に残っている残留製品も乾燥し、アプリケータの作業表面に蓄積する。わずか数十回のアプリケータの使用後に、この乾燥した材料の蓄積が、アプリケータの性能を妨げる。したがって、顧客は、不満を感じ、加熱されたマスカラの利益は、実感されていない。
【０００３】
前述された問題は、マスカラに限定されない。加熱されるアプリケータを利用して配合物を送達する任意の製品は、熱にさらされすぎることによって劣化する可能性がある。そこで、依然として必要とされているのは、貯蔵部内において、及び、アプリケータヘッドの上において熱にさらすことに関連する問題を回避しながら、加熱されるアプリケータとともに使用するための、販売に適した量の化粧品又はパーソナルケア製品を消費者に提供する方法である。
【先行技術文献】
【特許文献】
【０００４】
【特許文献１】米国特許出願第12/980,526号公報
【発明の概要】
【発明が解決しようとする課題】
【０００５】
本発明の主な目的は、複数の製品の貯蔵部と、少なくとも一つの加熱式アプリケータとを含むキットを提供することであり、このキットは、貯蔵部内において、及び、アプリケータヘッドの上において熱にさらすことに関連する問題を緩和する。
【課題を解決するための手段】
【０００６】
この概要は、単に、導入として提供されており、それ自体によって、添付の特許請求の範囲を限定しない。いくつかの態様では、本発明は、少なくとも二つの使い捨ての第1のサブアセンブリと少なくとも一つの再使用可能な第2のサブアセンブリとを含むキットであり、各再使用可能な第2のサブアセンブリは、発熱部分が中空のアプリケータヘッドの内側に配設されるように第1のサブアセンブリに取り付けることが可能である。そのうえ、各再使用可能な第2のサブアセンブリは、アプリケータヘッドが貯蔵部から除去され、且つ第2のサブアセンブリに関連付けられるように第1のサブアセンブリから取り外すことが可能である。各再使用可能な第2のサブアセンブリは、貯蔵部が封止されるように第1のサブアセンブリに再接続することが可能である。また、各再使用可能な第2のサブアセンブリは、アプリケータヘッドから取り外すことが可能であり、したがって、第2のサブアセンブリをその元の形態に復元する。
【図面の簡単な説明】
【０００７】
【図１Ａ】本発明によるキットの一部を形成し得る特定のタイプの加熱式アプリケータの一実施形態を示す図。
【図１Ｂ】本発明によるキットの一部を形成し得る特定のタイプの加熱式アプリケータの一実施形態を示す図。
【図１Ｃ】本発明によるキットの一部を形成し得る特定のタイプの加熱式アプリケータの一実施形態を示す図。
【図２Ａ】本発明内で使用され得る様々なアプリケータヘッド及び作業表面を示す図。
【図２Ｂ】本発明内で使用され得る様々なアプリケータヘッド及び作業表面を示す図。
【図２Ｃ】本発明内で使用され得る様々なアプリケータヘッド及び作業表面を示す図。
【図２Ｄ】本発明内で使用され得る様々なアプリケータヘッド及び作業表面を示す図。
【図２Ｅ】本発明内で使用され得る様々なアプリケータヘッド及び作業表面を示す図。
【図２Ｆ】本発明内で使用され得る様々なアプリケータヘッド及び作業表面を示す図。
【図２Ｇ】本発明内で使用され得る様々なアプリケータヘッド及び作業表面を示す図。
【図２Ｈ】本発明内で使用され得る様々なアプリケータヘッド及び作業表面を示す図。
【図２Ｉ】本発明内で使用され得る様々なアプリケータヘッド及び作業表面を示す図。
【図２Ｊ】本発明内で使用され得る様々なアプリケータヘッド及び作業表面を示す図。
【図２Ｋ】本発明内で使用され得る様々なアプリケータヘッド及び作業表面を示す図。
【図３】本発明によるキットと一緒になって有用であり得る成形トレイの一つの例を示す図。
【図４】本発明によるキットと一緒になって有用であり得る成形トレイの一つの例を示す図。
【図５】本発明によるキットと一緒になって有用であり得る成形トレイのさらに二つの例を示す図。
【図６】本発明によるキットと一緒になって有用であり得る成形トレイのさらに二つの例を示す図。
【図７】本発明によるキットの一部を形成し得る再充電ベース部の一つの例を示す図。
【発明を実施するための形態】
【０００８】
本発明によるキットは、特定のタイプの加熱式アプリケータとともに使用するように意図されている。特定のタイプの加熱式アプリケータは、同時係属中の米国特許出願第13/330,765号に記載されているそれらの加熱式アプリケータを含み、その内容は、全体として、参照により本明細書に組み込まれている。そのようなアプリケータは、使い捨て用である第1のサブアセンブリ(FS)と、再使用可能である第2のサブアセンブリ(SS)とを含む。ここで、これらのサブアセンブリの本質的な特徴を記載するが、より完全な記載は、米国特許出願第13/330,765号に提供されている。
【０００９】
図1A〜図1Cを参照すると、使い捨ての第1のサブアセンブリ(FS)は、製品の貯蔵部(1)と、最初に貯蔵部に装着される中空のアプリケータヘッド(3)とを含み、アプリケータヘッドの作業表面(3a)が貯蔵部内にあるようになっている。貯蔵部へのアプリケータヘッドの装着は、使用の前に貯蔵部を封止することを可能にするように行われ、貯蔵部内の製品を周囲大気から保護する。
【００１０】
再使用可能な第2のサブアセンブリ(SS)は、ハンドル(4)と、発熱部分(7c)を含む電気加熱回路とを含み、発熱部分(7c)は、電源(8)に接続されているか、又は、電源(8)に接続され得る。第2のサブアセンブリは、第1のサブアセンブリ(FS)に取り付けることが可能であり、且つ、第1のサブアセンブリ(FS)から取り外すことが可能である。第2のサブアセンブリが、意図されたように第1のサブアセンブリに取り付けられているときには、第2のサブアセンブリの発熱部分が、第1のサブアセンブリの中空のアプリケータヘッド(3)の内側に配設される。この配置(図1B参照)では、発熱部分は、貯蔵部(1)内に、及び/又は、アプリケータヘッドの上に位置する製品に、熱を供給することが可能である。
【００１１】
また、この配置では、使用者は、第2のサブアセンブリに、アプリケータヘッド(3)を貯蔵部(1)から除去させることが可能であり、アプリケータヘッドが、第2のサブアセンブリに関連付けられる(SS;図1C参照)(すなわち、取り付けられたままである)ようになっている。その結果、第2のサブアセンブリが、第1のサブアセンブリ(FS)から取り外されるときに、アプリケータヘッドは、貯蔵部から引き抜かれる。ここで、アプリケータヘッドが取り付けられている第2のサブアセンブリ、及び、貯蔵部は、従来のアプリケータ及び貯蔵部(すなわち、マスカラパッケージ)としての役割を果たす。例えば、アプリケータヘッドは、貯蔵部に挿入することが可能であり、且つ、貯蔵部から製品を取り出すために除去することが可能である。使用されていないときには、アプリケータヘッドは、貯蔵部に再挿入することが可能であり、第2のサブアセンブリは、第1のサブアセンブリに接続することが可能であり、製品貯蔵部が、次の使用まで、再度封止されるようになっている。貯蔵部内の製品が使い尽くされると、再使用可能な第2のサブアセンブリをアプリケータヘッドから取り外すことが可能であり、したがって、第2のサブアセンブリをその元の形態へ復元する。アプリケータヘッド及び使い切られた貯蔵部が処分され、一方で、第2のサブアセンブリは、別の第1のサブアセンブリと再使用される。
【００１２】
このタイプの加熱式アプリケータの主要な利点は、製品が熱に過度にさらされることを回避しながら、販売に適した量の製品(すなわち、4〜10グラムのマスカラ)を消費者に提供することができることである。販売に適した量の製品を一つの貯蔵部内に提供するのではなく、製品は、再使用可能な第2のサブアセンブリ(SS)とともに、キット内のいくつかの貯蔵部内に分配されている。
【００１３】
要約すれば、本発明によるキットは、複数の第1のサブアセンブリと、少なくとも一つの第2のサブアセンブリとを含む。第1のサブアセンブリの本質的な特徴は、製品を保持することができる貯蔵部、及び、中空のアプリケータヘッドであり、中空のアプリケータヘッドは、貯蔵部に装着することが可能であり、貯蔵部内の製品が周囲大気から密閉されるようになっている。第2のサブアセンブリの本質的な特徴は、ハンドルであり;電源に接続され得る発熱部分を含む電気加熱回路であり;第2のサブアセンブリは、発熱部分が中空のアプリケータヘッドの内側に配設されるように第1のサブアセンブリとの接続を形成することが可能であり;第2のサブアセンブリは、アプリケータヘッドが第2のサブアセンブリ(SS)に関連付けられるようにアプリケータヘッドを貯蔵部(1)から除去することが可能である。したがって、本発明によるキットは、一組の使い捨ての第1のサブアセンブリ(FS)と、少なくとも前述された本質的な特徴を有する少なくとも一つの再使用可能な第2のサブアセンブリ(SS)とを含む。
【００１４】
第1のサブアセンブリの貯蔵部(1)は、同時係属中の米国特許出願第12/980,526号のサンプルサイズの貯蔵部とは対照的に、比較的少量の製品を含むが、2回以上の塗布に十分な製品を含む。様々な実施形態では、例えば、貯蔵部は、合計で2週間分以下の供給量の製品を、好ましくは、10日分以下の供給量の製品を、より好ましくは、5〜7日分以下の供給量の製品を含むことが可能である。したがって、複数の製品貯蔵部を設けることによって、加熱を受ける製品の量は限定され、製品が加熱を受ける回数は、フルサイズの貯蔵部のものよりもかなり少ない。また、貯蔵部の寿命は、著しく低減され、したがって、製品が、周囲大気に普通にさらされることによって、乾燥するか、又は別の形で劣化するのにかかる時間は少ない。最も好ましくは、製品及びアプリケータが意図されるように使用されるとき、各貯蔵部内に含まれる製品の量は、貯蔵部が使い切られる前に著しい劣化を受けるには少なすぎる。そのうえ、複数のアプリケータヘッドを設けることによって、通常の意図される使用において、アプリケータヘッドの上で乾燥された製品によって、アプリケータの機能が著しく損なわれる可能性は事実上ない。
【００１５】
本明細書で説明されている貯蔵部(1)内に含まれる製品の量が多すぎない場合には、加熱されたアプリケータの結果として貯蔵部内の製品の著しい劣化が起こることなく、貯蔵部の内容物が使い尽くされ得るということが観察された。例えば、加熱されるアプリケータを用いた7〜14回の塗布に十分な製品を含む貯蔵部は、著しい劣化が起こる前に使い尽くされ得る。好ましくは、本明細書で説明されているように加熱されるアプリケータを用いて使用するための貯蔵部は、14回以下の塗布に十分な製品を、より好ましくは、7回以下の塗布に十分な製品を含む。特定される数の塗布を実現するために、貯蔵部内に充填される製品の実際の量は、製品のタイプ、及び、貯蔵部から製品を排出するアプリケータの能力に依存することとなる。一つの好適な実施形態では、貯蔵部は、約1〜2mLのマスカラなどのような製品を保持し、それは、1〜4回の塗布を提供することが可能である。別の好適な実施形態では、各貯蔵部は、約2〜4mLのマスカラなどのような製品を保持し、それは、約2〜14回の塗布を提供することが可能である。本発明によるキットのいくつかの実施形態では、第1のサブアセンブリは、合計で1〜20mLの製品を含み、他の実施形態では、合計で2〜10mLの製品を含み、さらなる他の実施形態では、4〜8mLの製品を集合的に含む。
【００１６】
いくつかの実施形態では、本発明によるキットは、それぞれが7回塗布分の貯蔵部(1)(すなわち、通常では、2週間から1年の供給量)を有する2〜52個の第1のサブアセンブリ(FS)を含む。又は、例えば、本発明によるキットは、単一の再使用可能な第2のサブアセンブリ(SS)と、それぞれが14回塗布分の貯蔵部(すなわち、通常では、4週間から1年の供給量)を有する2〜26個の第1のサブアセンブリを含むことが可能である。キット内の各貯蔵部は、使用の前に気密に封止されているので、任意の数の第1のサブアセンブリが、再使用可能な第2のサブアセンブリとともに、キット内に提供され得る。しかし、実際には、消費者に提供されるキット内の第1のサブアセンブリの数は、市場での受け入れによって限定され得る。したがって、いくつかの実施形態では、本発明によるキットは、2〜28個の第1のサブアセンブリを含み、好ましくは、2〜14個の第1のサブアセンブリを含み、より好ましくは、4〜14個の第1のサブアセンブリを含み、さらにより好ましくは、4〜8個の第1のサブアセンブリを含む。又は、例えば、キットは、1ヶ月の使用、3ヶ月の使用、又は、6ヶ月の使用に十分な貯蔵部を含むことが可能であり、貯蔵部の数は、各貯蔵部の製品充填レベルに依存する。単一のキット内のすべての貯蔵部は、同じ充填レベルを有することが可能であり、又は、単一のキットは、異なる充填レベルの貯蔵部を含むことが可能である。
【００１７】
場合によって、キット内のすべての貯蔵部(1)は、同じ製品を有することが可能であり、又は、単一のキットが、任意の数の異なる製品を有する貯蔵部を含むことが可能である。例えば、異なる製品を備える単一のキットが、最も人気のあるマスカラ製品のうちの二つ若しくは四つ、又は、任意の数を含むことが可能である。又は、例えば、単一のキットが、1(種)以上の一般用途のマスカラを含む1(種)以上の貯蔵部と、1(種)以上の色移り防止型(transfer-resistant)マスカラ及び/又は耐水性マスカラを含む1(種)以上の貯蔵部とを含むことが可能である。代替として、異なる製品を備える単一のキットが、1(種)以上の非マスカラ配合物とともに、1(種)以上のマスカラ配合物を含むことが可能である。例えば、単一のキットが、1(種)以上のマスカラ製品と、1(種)以上の非マスカラ製品(リップグロス、リップスティック、ファンデーション、及び、抗ニキビ製品、保湿剤などのスキントリートメント製品など)を含むことが可能である。代替として、異なる製品を備える単一のキットが、同じベースの製品の1(種)以上のシェード(shades)を含むことが可能である。例えば、単一のキットが、二つの又は四つの又は六つの異なる色の同じベースの配合物などのような、任意の数の異なる色のマスカラを有する貯蔵部を含むことが可能である。
【００１８】
本発明によるキット内で、第1のサブアセンブリ(FS)のアプリケータヘッド(3)の作業表面(3a)が、全く同じであることが可能であり、又は、キットは、二つ以上のタイプの作業表面を含むことが可能である。異なるタイプの作業表面が選択され、キット内に含まれる異なるタイプの製品を収容することが可能であり、又は、異なるアプリケータヘッドが選択され、単一の製品を塗布する様々な塗布経験を提供することが可能である。例えば、製品がマスカラである場合には、キットは、毛ブラシ、及び/又は、離間された毛を有するコームなどの、マスカラを塗布するために使用されることが知られるタイプの少なくとも一つのアプリケータヘッドを含むべきである。又は、例えば、製品がフェイスクリームである場合には、アプリケータヘッドの作業表面は、拡張された滑らかな表面(具体的には、顔の部分に製品を送達するために輪郭付けされている)を含むことが可能である。様々なタイプのアプリケータヘッド及び作業表面のいくつかの例が、図2A〜図2Kに示されている。図2Aは、ニキビ治療アプリケータを示している。図2Bは、まぶた用メイキャップアプリケータを示している。図2Cは、筋及びしわをターゲットとする製品のためのアプリケータを示している。図2D及び図2Eは、スカルプティング(sculpting)アプリケータを示している。図2Fは、化粧前用又は治療用アイアプリケータを示している。図2G〜図2Iは、特異性の程度を増加させる色素沈着過剰(hyper pigmentation)アプリケータを示している。図2J及び図2Kは、リップ製品アプリケータを示している。このリストは、包括的ではない。本明細書で説明されている第1のサブアセンブリ(FS)に一体化することができるならば、事実上どんなタイプのアプリケータも本発明によるキットで提供され得る。
【００１９】
本発明によるキットには、少なくとも一つの第2のサブアセンブリ(SS)がある。一般に、二つ以上の第2のサブアセンブリを提供することが可能であるが、特に、電源(8)を交換するか、又は、再充電することが可能である場合、ほとんどの状況でこれは必要でない可能性がある。キットは、再充電ベース部をさらに含むことが可能であり、再充電ベース部は、第2のサブアセンブリの電源の再充電を容易にすることが可能である。
【００２０】
本発明による好適なキットは、一つの第2のサブアセンブリ(SS)、すべてがマスカラ製品を含む少なくとも四つの第1のサブアセンブリ(FS)を含み、より好ましくは、少なくとも八つの第1のサブアセンブリを含む。別の好適なキットは、一つの第2のサブアセンブリと、複数の第1のサブアセンブリと、第2のサブアセンブリを効果的に再充電することが可能な再充電ベース部とを含む。本発明によるキットの一部を形成することが可能な再充電ベース部(30)の例が、図7に示されている。
【００２１】
内側及び外側パッケージング
述べたように、本発明によるキットは、二つ以上の第1のサブアセンブリ(FS)と、少なくとも一つの第2のサブアセンブリ(SS)とを含む。場合によって、物流、セールスアピール、及び、消費者の利便性のために、二つ以上の第1のサブアセンブリは、カートン内、又は第1のサブアセンブリをしっかりと保持する及び/若しくは陳列するように設計された他のパッケージング内に配設することが可能である。例えば、図3〜図6を参照すると、複数の第1のセクション(11)を有するプラスチック成形のトレイ(10)を提供することが可能であり、各第1のセクションは、その中に配設される第1のサブアセンブリの形状に成形されている。好ましくは、キット内に第1のサブアセンブリが存在するのと同じ数(すなわち、4個、又は8個、12個、14個、21個、28個、52個など)の、成形された第1のセクションが存在する。場合によって、成形トレイは、少なくとも一つの成形された第2のセクション(12)を有している。第2のセクションは、第2のサブアセンブリの形状に成形され、第2のサブアセンブリをしっかりと保持する。これは、図3及び図4に示されている。場合によって、成形トレイは、追加的な成形されたセクションを含むことが可能であり、追加的な成形されたセクションは、バッテリ又は再充電ベース部などのような他の物品を受け入れる及び保持するように形状付けされている。
【００２２】
場合によって、キットは、1(種)以上の外側パッケージ(20)内に入れて、消費者に提供することが可能である。場合によって、成形トレイ(10)は、外側パッケージ内に収納することが可能である(図5及び図6参照)。場合によって、外側パッケージは、ディスペンサの使用説明書を含むことが可能であり、又は、外側パッケージは、使用者を使用説明書へ誘導することが可能である。例えば、使用説明書は、外側パッケージングに含まれている基材の上に印刷することが可能である。代替として、外側パッケージングは、使用者をウェブサイトへ誘導することが可能であり、ウェブサイトで、使用説明書をモニタ上で見ることが可能である。使用説明書は、以下のうちのいくつか又はすべてを含むことが可能である。すなわち、どのように第2のサブアセンブリを1(種)以上の第1のサブアセンブリに組み立てるか、どのように加熱エレメントのスイッチを入れるか、塗布する前に、製品が加熱されるのをどのくらい待つか、どのように加熱エレメントのスイッチを切るか、どのようにバッテリにアクセスし、バッテリを交換するか、どのようにバッテリを再充電するか、どのようにアプリケータヘッドを第2のサブアセンブリから取り外すか、どのようにシステムの任意の部分を処分するか、である。場合によって、外側パッケージングは、第2のサブアセンブリの加熱発生部分に電力を与えるように意図された1(種)以上のバッテリを含むことが可能である。場合によって、外側パッケージングは、再充電ベース部(30)を含むことが可能である。
【符号の説明】
【００２３】
１  貯蔵部
３  アプリケータヘッド
3a  作業表面
４  ハンドル
７ｃ  発熱部分
８  電源
１１  第１のセクション
１２  第２のセクション
FS  第1のサブアセンブリ
SS  第2のサブアセンブリ
【図１Ａ】
0005948433.tif 000002
【図１Ｂ】
0005948433.tif 000003
【図１Ｃ】
0005948433.tif 000004
【図２Ａ】
0005948433.tif 000005
【図２Ｂ】
0005948433.tif 000006
【図２Ｃ】
0005948433.tif 000007
【図２Ｄ】
0005948433.tif 000008
【図２Ｅ】
0005948433.tif 000009
【図２Ｆ】
0005948433.tif 000010
【図２Ｇ】
0005948433.tif 000011
【図２Ｈ】
0005948433.tif 000012
【図２Ｉ】
0005948433.tif 000013
【図２Ｊ】
0005948433.tif 000014
【図２Ｋ】
0005948433.tif 000015
【図３】
0005948433.tif 000016
【図４】
0005948433.tif 000017
【図５】
0005948433.tif 000018
【図６】
0005948433.tif 000019
【図７】
0005948433.tif 000020